(57)【要約】【課題】  医療用ポケットを改良して、縫合糸１の１本を指先で摘んで引き上げると、ケース２を袋状部の中に残して、縫合糸だけが抜き出されるようにする。  【解決手段】  ベースシート３ａと袋シート３ｂとで袋状部が形成されている。上記袋状部の中に位置せしめて、袋シート３ｂの内側に柔軟な内袋４を設ける。この内袋４の中にスポンジ５（もしくは気体、または流動性の物質）を充填する。この内袋４がケース２に接触して、適宜の摩擦抵抗を与える。これにより「ケース２の抜き差し操作を妨げることなく」、しかも、「縫合糸１を引き抜く際、ケース２をポケットの袋状部内に保持する」という効果を奏する。【選択図】  図１
2006192206.tif 000002
【特許請求の範囲】
【請求項１】
医療用の縫合糸（１）を入れたケース（２）を収納して、該縫合糸を使用に供するポケット（３）において、
ベースシート（３ａ）に装着されて袋状の部分を形成している袋シート（３ｂ）の内側に、柔軟な内袋（４）が取り付けられるとともに、該内袋の中にスポンジもしくはスポンジに類似する物性を有する物質（５）が充填されていることを特徴とする、医療用のポケット。
【請求項２】
医療用の縫合糸（１）を入れたケース（２）を収納して、該縫合糸を使用に供するポケット（３）において、
ベースシート（３ａ）に装着されて袋状の部分を形成している袋シート（３ｂ）の内側に、柔軟な内袋４が取り付けられるとともに、該内袋の中に、気体、液体、又は流動性の物質が充填されていることを特徴とする、医療用のポケット。
【請求項３】
前記の袋シートが複数段に構成されていて、少なくとも１段袋シート（３ｃ）と２段袋シート（３ｄ）とを備えており、
上記複数段の袋シートによって形成された複数の袋状部分それぞれの中に、内袋（４）が取り付けられていることを特徴とする、請求項１または請求項２に記載した医療用のポケット。          
【請求項４】
前記袋シートによって形成されている袋状部分の中に、前記内袋（４）に対向するように位置せしめて、管もしくは棒又はボール（７）が配置されていることを特徴とする、請求項１から請求項３までの何れかに記載した医療用のポケット。
【請求項５】
前記内袋（４）の表面、および／または、シート状部材が該内袋に対向している面に、微細な凹凸が形成されていることを特徴とする、請求項１から請求項４までの何れか１つに記載した医療用のポケット。
【請求項６】
前記の袋シートが、透明な材料で構成されていることを特徴とする、請求項１から請求項４までの何れか１つに記載した医療用のポケット。
【請求項７】
ベースプレート（７）に対して、ゴムバンド（９）が取り付けられており、 
かつ、上記ゴムバンドは、当該医療用ポケットの使用状態においてほぼ水平に配置されるとともに、
その両端部、および中間のＮ箇所をベースプレートに止め付けられていることを特徴とする医療用のポケット。ただし、Ｎは０もしくは１以上の整数である。
【請求項８】
前記ゴムバンドの設置個数は複数本であって、平行に配置されており、
または、前記ゴムバンドが広幅であってシート状をなしていて、その断面形状における幅寸法Ｗが、厚さ寸法ｔの３倍以上であることを特徴とする、請求項７に記載した医療用のポケット。
【発明の詳細な説明】
【技術分野】
【０００１】
本発明は、手術用の縫合糸を入れたケースを一時的に収納して、該縫合糸を使用に供するためのポケットに関するものである。 
【背景技術】
【０００２】
図３は、縫合糸ケース、および、これを収納する医療用ポケットの公知技術の例を説明するために示したものであって、（Ａ）は縫合糸１を入れた紙製等のケース２′の外観正面図、（Ｂ）は上記紙製等のケース２′を半ば開いた状態の外観正面図、（Ｃ）は、上記紙製等のケース２′の多数を収納したポケットの２例を描いた外観正面図である。
この例の縫合糸ケースは紙製であるが、ＰＰ（ポリプロピレン）製、ＰＥＴ（ポリエチレンテレフタレート）製なども広く用いられている。
【０００３】
図４は前掲の図３以外の公知例に係る縫合糸ケースを示す。図４（Ａ）に描かれた縫合糸ケース（略称ケース）２Ａ、（Ｂ）に描かれたケース２Ｂ、および（Ｃ）に描かれたケース２Ｃは図３におけると類似の縫合糸ケースである
図４（Ｄ）に描かれたケース２Ｄは、台紙２Ｄａと透明カバー２Ｄｂとから成り両者の間に縫合糸１が収納されている。上記の透明カバー２Ｄａを折り目２Ｄｃで折り曲げると縫合糸１を容易に１本ずつ抜き取ることができる。
【０００４】
（図３（Ａ）参照）この例のケースは、三つ折りにした厚紙製であって、多数の縫合糸（１）が入れられている。
紙製ケース２′を片手で持って、他方の手の指で縫合糸１を摘まんで引っ張ると、該縫合糸１が抜け出すようになっている。このため、正常な使用状態では該紙製ケース２′を開くことが無い。
これら各種の縫合糸ケースには、内容物である縫合糸の寸法・数量・色調・材質等が、文字や記号や色マークで表示されている。
【０００５】
構造を説明するために、三つ折りにされている紙製ケース２′の裏紙２ｂを開くと、図３（Ｂ）に実線で描いたようになる。符号２ａを付して示したのは表紙である。
この状態から、更に台紙２ｃをひらくと、仮想線で描いた２ｆのようになる。
実線で描かれた台紙２ｃに、長さ約４０センチメートルの縫合糸１が一巻き半されている。
この紙製ケース２′を（Ａ）図のように折り畳んだ状態に保つため、裏紙２ｂに舌片２ｄが設けられている。一方台紙２ｃには、該舌片に係合する切込２ｅが設けられている。  先に述べたように、縫合糸１用のケースは必ずしも紙製とは限らないので、次に示す図３（Ｃ）および図１においては、符号２によってケース（材質不問）を表すことにする。  
【０００６】
たいていの手術において、各種（材質，太さ，色調，撚り方など）の縫合糸を必要とする。このため、図３（Ｃ）に示したようなポケット３に各種の縫合糸が入れられたケース２の多数が収納されて、手術における縫合糸の使用に供される。
図３（Ｃ）の左半部は袋シート３ｂによって１段形の袋状部を形成している例であり、
右半部は、１段袋シート３ｃと２段袋シート３ｄとによって２段形の袋状部を形成している例である。
それぞれの袋状部にケース２が差し込まれて、その上端部分を露出させている。
【特許文献１】特開２００４−２１５７８６号公報
【発明の開示】
【発明が解決しようとする課題】
【０００７】
図３（Ａ）に示したケースの構造および縫合糸の巻き付け状態から理解できるように、ケースから縫合糸を抜き出すには若干の力を要する。
このため、図３（Ｃ）に示した従来例のポケットに収納されている縫合糸１の１本を摘まんで引き抜こうとすると、ケース２が抜け出してくる。
従って、縫合糸１を引き抜く際は、片手でケース２を押さえながら、他方の手の指で縫合糸を摘まむとか、
予めクリップで、ポケット３の上からケース２を挟みつけておくとか、何らかの手段を講じなければならない。
【０００８】
片手でケースを押さえなければならない場合は、縫合糸の引き抜き動作が著しく制約される。
また、予めクリップでケースを挟みつけておく場合は、縫合糸の種類を入れ替えるのに
多大の時間と労力とを要する。
従来技術によっては、イ．ケースをポケットの中へ自在に出し入れするということと、
ロ．１本の縫合糸を摘まんで迅速容易に引き抜くこととが、どうしても両立しなかった。  本発明は上述の事情に鑑みてなされたものであって、その目的とするところは、
縫合糸のケースを自在に差し込んだり抜き出したりすることができ、しかも、縫合糸の１本を摘まんで迅速容易に引き抜くことのできる医療用の縫合糸ポケットを提供するにある。
ただし本発明は必ずしも縫合糸に限らず、チューブやテープの収納に応用することも可能である。
【課題を解決するための手段】
【０００９】
請求項１に係る発明の構成は、（図１参照）医療用の縫合糸（１）を入れたケース（２）を収納して、該縫合糸を使用に供するポケット（３）において、
ベースシート（３ａ）に装着されて袋状の部分を形成している袋シート（３ｂ）の内側に、柔軟な内袋（４）が取り付けられるとともに、該内袋の中にスポンジ（５）もしくはスポンジに類似する物性を有する物質が充填されていることを特徴とする。
説明の便宜上、前記のスポンジもしくはスポンジに類似する物性を有する物質すなわちスポンジ状の収縮弾性を有する部材をスポンジ類と呼ぶ。
【００１０】
以上に説明した請求項１の発明によると、ポケットの袋状部に差し込まれたケースが、スポンジの弾性によって挟みつけられる。このため、ケースが袋状部に差し込まれるときも、袋状部から抜き出されるときも摩擦抵抗を受ける（その摩擦力の大きさは、内袋やスポンジの形状，寸法，材質によって任意に制御できる）。
上記の摩擦抵抗を適宜に調節することによって、ケースの抜き差しを邪魔することなく、しかも「ケースを袋状部に残したまま、摘まんだ縫合糸だけを容易に引き抜くこと」が可能になる。
【００１１】
請求項２に係る発明の構成は、（図１参照）医療用の縫合糸（１）を入れたケース（２）を収納して、該縫合糸を使用に供するポケット（３）において、
ベースシート（３ａ）に装着されて袋状の部分を形成している袋シート（３ｂ）の内側に、柔軟な内袋４が取り付けられるとともに、該内袋の中に気体、液体、もしくは流動性の物質が充填されていることを特徴とする。
【００１２】
以上に説明した請求項２の発明の構成は、前記請求項１におけるスポンジに代えて、流動性の物質を充填したものである。上記流動性物質としては、空気，水，グリセリン，ワセリンなど、適宜に選定して用いることができる。
この請求項２の発明によっても、請求項１と同様に、ケースの抜き差しに摩擦抵抗を与えることができ、この摩擦抵抗を適宜に調節することによって、ケースの抜き差しを邪魔することなく、しかも「ケースを袋状部に残したまま、摘まんだ縫合糸だけを容易に引き抜くこと」が可能になる。
【００１３】
請求項３に係る発明の構成は、前記請求項１または請求項２の発明の構成要件に加えて、（図２（Ｃ），（Ｄ）参照）前記の袋シートが複数段に構成されていて、少なくとも１段袋シート（３ｃ）と２段袋シート（３ｄ）とを備えており、
上記複数段の袋シートによって形成された複数の袋状部分それぞれの中に、内袋（４）が取り付けられていることを特徴とする。
【００１４】
以上に説明した請求項３の発明によると、複数段に構成された袋状部のそれぞれに対して自在にケースを抜き差しすることができ、しかも、複数段に構成された袋状部のそれぞれに差し込まれているケースから、所望の１本の縫合糸だけを迅速容易に引き抜くことができる。  
【００１５】
請求項４に係る発明の構成は、前記請求項１から請求項３までの発明の構成要件に加えて、（図２（Ｅ）参照）前記袋シートによって形成されている袋状部分の中に、前記内袋（４）に対向するように位置せしめて、管もしくは棒又はボール（７）が配置されていることを特徴とする。
【００１６】
以上に説明した請求項４の発明によると、内袋によって与えられる摩擦力が管（もしくはバー、またはボール）によって局部的に集中される。このため、適度な摩擦力によってケースが袋状部内に保持される。
【００１７】
請求項５に係る発明の構成は、前記請求項１から請求項４までのいずれか１つの発明の構成要件に加えて、前記内袋（４）の表面、および／または、シート状部材が該内袋に対向している面に、微細な凹凸が形成されていることを特徴とする。
【００１８】
以上に説明した請求項５の発明によると、「ポケット袋状部の内面の、ケースに対する摩擦係数」を、簡単な構造で容易に制御することができ、所望の摩擦力を得るために必要な全圧力を比較的小さくすることができる。
【００１９】
請求項６に係る発明の構成は、前記請求項１から請求項４までの何れか１つの発明の構成要件に加えて、前記の袋シートが、透明な材料で構成されていることを特徴とする。
【００２０】
以上に説明した請求項６の発明によると、袋シートが透明であるから縫合糸のケースが透けて見え、該縫合糸の仕様の表示を読み取ることができる。
【００２１】
請求項７に係る発明の構成は、（図５参照）ベースプレート（７）に対して、ゴムバンド（９）が取り付けられており、 
かつ、上記ゴムバンドは、当該医療用ポケットの使用状態においてほぼ水平に配置されるとともに、
その両端部、および中間のＮ箇所をベースプレートに止め付けられていることを特徴とする。ただし、Ｎは０もしくは１以上の整数である。
【００２２】
以上に説明した請求項７の発明によると、ベースプレートが適宜の剛性を有する部材であるから、取り扱いが容易であり、
かつ、該ベースプレートが適宜の剛性を有しているので、ゴムバンドに若干の張力を与えて支持することができる。
さらに、前記ゴムバンドの中間のＮ箇所をベースプレートに取り付けると、複数の縫合糸ケースを並べて保持することができ、該複数の縫合糸ケースの全部を目視できる。このため、縫合糸の選択、引き抜きが容易であり、間接的ながら医療ミスの防止にも有効である。
【００２３】
請求項８に係る発明の構成は、前記請求項７の構成要件に加えて、（図５（Ｂ）参照）前記ゴムバンドの設置個数が複数本であって、平行に配置されており、
または、（図５（Ｃ）参照）前記ゴムバンドが広幅でシート状をなしていて、その断面形状における幅寸法Ｗが、厚さ寸法ｔの３倍以上であることを特徴とする。 
【００２４】
以上に説明した請求項８の発明によると、縫合糸のケースが複数本のゴムバンドで挟みつけられ、または幅広のゴムベルトで挟みつけられるので、その支持状態が安定、確実である。
【発明の効果】
【００２５】
請求項１の発明によると、ポケットの袋状部に差し込まれたケースが、スポンジの弾性によって挟みつけられる。このため、ケースが袋状部に差し込まれるときも、袋状部から抜き出されるときも摩擦抵抗を受ける（その摩擦力の大きさは、内袋やスポンジの形状，寸法，材質によって任意に制御できる）。
上記の摩擦抵抗を適宜に調節することによって、ケースの抜き差しを邪魔することなく、しかも「ケースを袋状部に残したまま、摘まんだ縫合糸だけを容易に引き抜くこと」が
可能になる。  
【００２６】
請求項２の発明によっても、請求項１におけると同様に、ケースの抜き差しに摩擦抵抗を与えることができ、この摩擦抵抗を適宜に調節することによって、ケースの抜き差しを邪魔することなく、しかも「ケースを袋状部に残したまま、摘まんだ縫合糸だけを容易に引き抜くこと」が可能になる。  
【００２７】
請求項３の発明によると、複数段に構成された袋状部のそれぞれに対して自在にケースを抜き差しすることができ、しかも、複数段に構成された袋状部のそれぞれに差し込まれているケースから、所望の１本の縫合糸だけを迅速容易に引き抜くことができる。
【００２８】
請求項４の発明によると、内袋によって与えられる摩擦力が管（もしくはバー、またはボール）によって局部的に集中される。このため、適度な摩擦力によってケースが袋状部内に保持される。
【００２９】
請求項５の発明によると、「ポケット袋状部の内面の、ケースに対する摩擦係数」を、簡単な構造で容易に制御することができ、所望の摩擦力を得るために必要な全圧力を比較的小さくすることができる。  
【００３０】
請求項６の発明によると、袋シートが透明であるから縫合糸のケースが透けて見え、該縫合糸の銘柄を読み取ることができる。
【００３１】
請求項７の発明によると、ベースプレートが適宜の剛性を有する部材であるから、取り扱いが容易であり、
かつ、該ベースプレートが適宜の剛性を有しているので、ゴムバンドに若干の張力を与えて支持することができる。
さらに、前記ゴムバンドの中間のＮ箇所をベースプレートに取り付けると、複数の縫合糸ケースを並べて保持することができ、該複数の縫合糸ケースの全部を目視できる。このため、縫合糸の選択、引き抜きが容易であり、間接的ながら医療ミスの防止にも有効である。
【００３２】
請求項８の発明によると、縫合糸のケースが複数本のゴムバンドで挟みつけられ、または幅広のゴムベルトで挟みつけられるので、その支持状態が安定、確実である。
【発明を実施するための最良の形態】
【００３３】
図１は本発明の１実施形態に係る医療用ポケットを示し、袋状部に縫合糸ケースを差し込んで収納した状態の一部分を破断して描いた斜視図である。
前掲の図３（Ｃ）に示した従来例の医療用ポケットに比して異なるところ、すなわち、本発明を適用して改良した構成部分はつぎのとおりである。
袋シート３ｂの内側に、内袋４が設けられている。
【００３４】
この内袋の材質は限定されないが、柔軟（フレキシブル）なシートで構成されることが望ましい。本例においては、柔軟な合成樹脂シートを用いて内袋４を構成した。
上記の袋シート３ｂを、透明な材料で構成しておくと、縫合糸のケース２に印刷されている銘柄、記号を目視できるので便利である。
なお、符号３ｅを付して示したのは、袋状部の入口に設けた袋シート折返しである。
【００３５】
前記内袋４の中にスポンジ５を充填する。これにより、ケース２が差し込まれる袋状部の途中が狭くなる。
単に狭くなるというだけではなく、柔軟な膨出部によって、部分的に狭くなっている。このため、ケース２を差し込む際に若干の抵抗を感じるが、別段の支障は生じない。
これを製作面から考察すると、内袋４の寸法形状およびスポンジ５の詰め込み加減を適宜にして、「ケース２の抜き差しに支障を生じない程度の抵抗を生じる」ようにする。
この状態（図１）で、縫合糸１の１本を指先で摘まんで引き上げると、ケース２をポケットの袋状部内に残して、縫合糸だけがケース２から抜き出される。 
【００３６】
上記の構造機能から容易に理解されるように、この実施形態の医療用ポケットが所期の効果を発揮するのは、内袋４が弾力的にケース２に接触するからである。
内袋４の中にスポンジ５を入れるのは、該内袋４を柔らかく膨らませるためである。
こうしたメカニズムに着目すると、内袋４の中へ入れるのは必ずしも狭義のスポンジに限らないことが理解される。
本発明において内袋の中へ入れるのは、スポンジに類似する物体（例えば綿、ウール、糸屑など）であっても良い。本発明においてスポンジとは「弾力的に変形し得る柔らかい物体」をいう。スポンジ類とは更に広義であって、スポンジに類似する物理的性状を有する部材を総称する意である。
【００３７】
図１の実施形態におけるスポンジ５を、「スポンジに類似する物体（スポンジ類）」で代替し得ることは以上にのべたとおりであるが、このスポンジ５に代替し得るものは更に広い。
図示を省略するが、前記内袋の密封性を良くすれば、該内袋の中に空気や水を充填しても同様の効果を奏する。
その他、ワセリン、ゼリーなど、流動性の物質を充填することも可能である。
【００３８】
この図１の縮尺では描き表されなかったが、内袋４の表面（ベースシートに対向している側の面）には微細な凹凸が形成されている。このように構成すると、ケースに対する内袋表面の摩擦係数を調節して適宜の手応えを得ることができる（摩擦係数が少なすぎるとケース２が抜け落ち易く、摩擦係数が大きすぎるとケースの差し込み操作が容易でなくなるので、適宜の摩擦係数であることが望ましい）。
【００３９】
図２は本発明に係る５種類の実施形態を示し、（Ａ）は前掲の図１の医療用ポケットの模式的な断面図、（Ｂ）は本発明の医療用ポケットの内袋部分を「袋シートの部分を折り畳んだもの」によって代替した例を示す模式的な断面図、（Ｃ）は本発明の医療用ポケットの袋シートが複数段形成されたものの第１例を示す模式的な断面図、（Ｄ）は本発明の医療用ポケットの袋シートが複数段形成されたものの第２例を示す模式的な断面図、（Ｅ）は本発明の医療用ポケットに管もしくは棒又はボールを設けた例を示す模式的な断面図である。  
【００４０】
図２（Ａ）は、図１に現れている断面を模式的に描いてあり、作図・読図し易いようにシート状部材の厚さ方向に拡大してある（シートを実物よりも厚く描き、袋状部の内腔を実物よりも広く描いてある）。 
上記のようにして袋状部の一部分を狭くする代りに、図２（Ｂ）は袋シート３ｂの一部分を折り畳んで、符号６を付した折畳み部を形成してある。この（Ｂ）図の構成によると、（Ａ）図ほどではないが、これに類似する効果が得られた。
【００４１】
図３（Ｃ）の従来例の右半部に示したような２段形のポケットにおいては、図２（Ｃ）に示すように、１段袋シート３ｃ，２段袋シート３ｄのそれぞれに（その内側に）内袋４を設ける。この例では、２個の内袋４を段違いに配設してあるが、図２（Ｄ）のように２個の内袋４を対向させて配置しても良い。
この（Ｄ）図のように、２段袋シート３ｄの下端部（鎖線で示す）を省略することもできる（１段袋が有るから、２段袋が底抜けであっても実害は無い。
【００４２】
図２（Ｅ）は図２（Ｄ）の改良例である。内袋４に対向せしめて管又は棒７を設けてある。この断面図には小さい円形として現れているが、紙面と直角方向に長さを有するパイプまたはバーである。本例においては細いビニールパイプを用いた。  このように管又は棒７を配設すると、内袋４による縫合糸ケース（本図において図示省略）の圧迫力を局部的に集中させて、縫合糸ケースの保持を確実ならしめる。圧迫力集中が過度になると、該縫合糸ケースの抜き差しを妨げるので、試作実験によって管又は棒７の最適形状寸法を求めることが望ましい。
前記の管又は棒７に代えてボールを用いることもできる。
【００４３】
図には表されていないが、内袋４の外周面に梨地処理を施したりエンボス加工を施したりして、微小な凹凸を設けると摩擦係数が増加する。このようにして摩擦力を制御し、適正なケース保持力が得られるようにすると良い。
【００４４】
図５は、前掲の図１、図２と異なる実施形態における使用状態を描いてある。
本前記実施形態のベースプレート７は合成樹脂材料で構成され、格別に硬質であることは要しないが、適宜の剛性を有している。
（図５（Ａ）参照）ゴムバンド９が水平に配設され、その両端部をベースプレート７に取り付けられるとともに、中間のＮ箇所（Ｎは正の整数、本例では３箇所）をベースプレート７に止め付けられている。 
【００４５】
取り付け、止め付けの手段は、接着、埋め込み、又は針刺し（ホッチキス）を適宜に選定して適用する。
これにより、ケースを差し込める部分がＮ＋１箇所形成される。
図５（Ａ）はＮ＝３であるから４箇所の差し込み部が形成されており、その内の３箇所にケース２Ａ、ケース２Ｂ、およびケース２Ｃが差し込まれて保持されている。
【００４６】
図５のようにしてケースを保持することができるのは、ベースプレート７が剛性を有していて、ゴムバンド９に若干のテンションを与え得るからである。 
本発明におけるゴムバンドの「ゴム」とは、ゴム状の弾性を有する物質の総称であり、狭義のゴムに限らず、ウレタン等の合成樹脂材を用いることもできる。
この原理を応用して、ゴム状弾性を示す金属部材（例えば細長いコイルスプリング）を用いても本発明の技術的範囲に属する。  
【００４７】
図５（Ｂ）は前記と異なる実施形態を示す。本例では、２本のゴムバンド９を平行に並べて配置してある。
これを前記（図５（Ａ））実施形態に比べると一長一短であって、（Ｂ）の方がケースを確実に保持することができ、（Ａ）の方がケースを差し込む操作が容易である。
いずれを選ぶかは使用者の判断に委ねることになるが、製造技術者の立場から見れば、ユーザーに対して選択の自由を与えて実用的効果を発揮させることも、医療用器具製造産業の発展に寄与する途である。 
【００４８】
図５（Ｃ）は更に異なる実施形態である。前記の実施形態（図５（Ａ）、（Ｂ））がゴムバンド９を用いたのに代えて、広幅ゴムベルト１０を用いてある。
本発明における広幅とは、厚さ寸法ｔに比して幅寸法Ｗが３倍以上の部材を言う。
このような広幅ゴムベルトは、前掲の図４（Ｄ）に例示したケース２Ｄのように幅広で比較的大重量のケースに好適である。
【図面の簡単な説明】
【００４９】
【図１】本発明の請求項１又は請求項２に対応する実施形態における医療用ポケットを示し、袋状部に縫合糸ケースを差し込んで収納した状態の一部分を破断して描いた斜視図。
【図２】本発明に係る５種類の実施形態を示す。（Ａ）は前掲の図１に描かれた実施形態における医療用ポケットの模式的な断面図、（Ｂ）は本発明の医療用ポケットの内袋部分を「袋シートの部分を折り畳んだもの」によって代替した例における模式的な断面図、（Ｃ）は本発明の医療用ポケットの袋シートが複数段形成されたものの第１例における模式的な断面図、（Ｄ）は本発明の医療用ポケットの袋シートが複数段形成されたものの第２例における模式的な断面図、（Ｅ）は本発明の医療用ポケットに管もしくは棒又はボールを設けた例における模式的な断面図。
【図３】縫合糸ケースおよび医療用ポケットの公知技術を説明するために示したものであって、（Ａ）は縫合糸１を入れた紙製ケース２′の外観正面図、（Ｂ）は上記紙製ケース２′を半ば開いた状態の外観正面図、（Ｃ）は、上記紙製ケース２′の多数を収納した医療用ポケットの２例を描いた外観正面図。
【図４】各種の縫合糸ケース（公知）を描いた正面図。
【図５】本発明の請求項７または請求項８に対応する実施形態を示し、（Ａ）は請求項７に対応する模式的な斜視図、（Ｂ）は請求項８におけるゴムバンドの数が複数である場合の模式的な斜視図、（Ｃ）は請求項８におけるゴムバンドが広幅のシート状である場合の模式的な斜視図。
【符号の説明】
【００５０】
１…縫合糸
２，２Ａ，２Ｂ，２Ｃ，２Ｄ…ケース
２′…紙製ケース
２ａ…表紙
２ｂ…裏紙
２ｃ…台紙
２ｄ…舌片
２ｅ…切込み 
２Ｄａ…台紙
２Ｄｂ…透明カバー
２Ｄｃ…折り目
３…ポケット 
３ａ…ベースシート 
３ｂ…袋シート 
３ｃ…１段袋シート 
３ｄ…２段袋シート 
３ｅ…折返し 
４…内袋   
５…スポンジ類 
６…折り畳み部 
７…管もしくは棒またはボール 
８…透明カバー
９…ゴムバンド
１０…広幅ゴムベルト
【図１】
2006192206.tif 000003
【図２】
2006192206.tif 000004
【図３】
2006192206.tif 000005
【図４】
2006192206.tif 000006
【図５】
2006192206.tif 000007